【手続補正書】
【提出日】平成28年7月25日(2016.7.25)
【手続補正１】
【補正対象書類名】明細書
【補正対象項目名】００５９
【補正方法】変更
【補正の内容】
【００５９】
ベントアセンブリ及びこのベントアセンブリが使用され得るリザーバの例示的な実施形態が説明され、いくつかの可能な変形に対して言及されてきた。本発明におけるこれら及び他の変形及び改変は本発明の範囲から逸脱することなく当業者にとって明らかであり、本発明が本明細書に記載される例示的実施形態に限定されないことは理解されるべきである。したがって、本発明は、以下に提供されている請求項及びその同等物によってのみ制限されるべきである。
本発明の実施態様の一部を以下の項目［１］−［２３］に記載する。
［項目１］
内部容積を画定するリザーバの壁に形成され、かつ前記リザーバの前記内部容積と流体連通する開口部と、
前記開口部に近接する前記リザーバの前記壁上に保持され、ガス抜き位置と非ガス抜き位置との間で移動するよう構成され、前記非ガス抜き位置にある際には前記開口部を閉じ、前記ガス抜き位置にある際には前記開口部を閉じない密封面を備える閉鎖部材と、
前記閉鎖部材が前記ガス抜き位置にあるときに前記閉鎖部材を前記リザーバの前記壁上に保持するよう構成される閉鎖部材保持器と、
前記閉鎖部材が前記非ガス抜き位置に移動される際に前記閉鎖部材に対して圧縮力を発生するよう構成されたカム面と、を備えるベントアセンブリであって、
前記密封面が前記開口部の真上に位置付けられる際に、前記圧縮力が前記閉鎖部材の前記密封面を前記リザーバの前記壁に対して押し込む、ベントアセンブリ。
［項目２］
前記閉鎖部材が、前記ガス抜き位置と前記非ガス抜き位置との間で直線移動するように構成されている、項目１に記載のベントアセンブリ。
［項目３］
前記閉鎖部材が、前記ガス抜き位置と前記非ガス抜き位置との間で移動する際に、前記リザーバの前記壁を通って延在する軸の周りに回転するように構成されている、項目１に記載のベントアセンブリ。
［項目４］
前記カム面が、前記閉鎖部材と前記リザーバの前記壁との間に位置し、
前記閉鎖部材の前記ガス抜き位置から前記非ガス抜き位置までの回転によって前記閉鎖部材保持器と前記カム面との間に圧縮力が発生し、それにより、前記密封面が前記開口部の真上に位置付けられる際に前記閉鎖部材が前記リザーバの前記壁に対して押し込まれる、項目３に記載のベントアセンブリ。
［項目５］
前記閉鎖部材が、前記リザーバの前記壁から延在するポスト上に取り付けられ、
前記閉鎖部材が、前記ポスト上で回転するように構成され、
前記閉鎖部材保持器が、前記ポスト上に位置し、かつ前記閉鎖部材が前記ガス抜き位置にある際に前記閉鎖部材を前記ポスト上に保持するように構成され、
前記密封面が前記開口部の真上に位置付けられる際に、前記圧縮力が前記閉鎖部材保持器と前記カム面との間で発生される、項目３に記載のベントアセンブリ。
［項目６］
前記閉鎖部材保持器が、前記軸に対して前記ポストから外側に延在する肩部を備える、項目５に記載のベントアセンブリ。
［項目７］
前記閉鎖部材は、前記ポストに対向する内側面と、前記リザーバの前記壁の逆方向を向いた上面と、を備え、
前記閉鎖部材が、前記内側面と前記上面との間に段階的な移行部を備え、
前記内側面の上縁は、前記閉鎖部材の前記上面の内縁と一致しない、項目６に記載のベントアセンブリ。
［項目８］
前記閉鎖部材保持器の前記肩部が、前記閉鎖部材が前記非ガス抜き位置にある際に前記閉鎖部材の前記内側面の前記上縁に接触する、項目７に記載のベントアセンブリ。
［項目９］
前記開口部が、前記カム面を通って延在する、項目３〜８のいずれか一項に記載のベントアセンブリ。
［項目１０］
前記カム面が、前記閉鎖部材を回転させる前記軸に対して垂直な平面内に位置する開口面部分を備え、
前記開口部が、前記カム面の前記開口面部分を通って延在する、項目９に記載のベントアセンブリ。
［項目１１］
前記リザーバが、穴と、前記穴の真上で前記リザーバに取り付けられる際に前記穴を閉じるよう構成された着脱可能な蓋と、を備える、項目１〜１０のいずれか一項に記載のベントアセンブリ。
［項目１２］
前記リザーバが、前記穴の反対側に位置する基部を備え、前記開口部が、前記基部内に位置する、項目１１に記載のベントアセンブリ。
［項目１３］
前記ベントアセンブリの前記開口部が、前記蓋内に位置する、項目１１に記載のベントアセンブリ。
［項目１４］
前記ベントアセンブリは、前記閉鎖部材が前記非ガス抜き位置にある際に前記閉鎖部材の移動を一方向に制限するように構成された停止部を備える、項目１〜１３のいずれか一項に記載のベントアセンブリ。
［項目１５］
前記停止部が、前記リザーバの前記壁から突出する、項目１４に記載のベントアセンブリ。
［項目１６］
前記停止部が、前記カム面に近接して位置する、項目１４に記載のベントアセンブリ。
［項目１７］
前記ベントアセンブリが、複数の開口部を備え、
前記閉鎖部材が、複数の密封面を備え、
前記閉鎖部材が前記非ガス抜き位置にある際に、前記複数の開口部の各開口部が前記複数の密封面のうちの１つの密封面によって閉じられる、項目１〜１６のいずれか一項に記載のベントアセンブリ。
［項目１８］
前記閉鎖部材が、複数のレリーフ面を備え、
前記閉鎖部材が前記ガス抜き位置にある際に、１つのレリーフ面が前記複数の開口部の各開口部の上方に位置付けられる、項目１７に記載のベントアセンブリ。
［項目１９］
前記ベントアセンブリが、複数のカム面を備え、
前記複数の開口部の各開口部が、前記複数のカム面の１つのカム面内に位置し、
前記閉鎖部材が前記非ガス抜き位置にある際に、前記複数の開口部の各開口部が前記複数の密封面のうちの１つの密封面によって閉じられる、項目１７〜１８のいずれか一項に記載のベントアセンブリ。
［項目２０］
ベントアセンブリを開閉する方法であって、
閉鎖部材を非ガス抜き位置とガス抜き位置との間で移動させる工程を含み、
前記閉鎖部材が前記非ガス抜き位置にある際には前記閉鎖部材上の密封面が前記開口部を閉じ、前記閉鎖部材が前記ガス抜き位置にある際には前記密封面が前記開口部を閉じず、
前記閉鎖部材の前記ガス抜き位置から前記非ガス抜き位置への移動によって前記閉鎖部材に圧縮力が発生し、それにより、前記密封面が前記開口部の真上に位置付けられる際に前記封鎖部材の前記密封面が前記リザーバの前記壁に対して押し込まれる、方法。
［項目２１］
ベントアセンブリを開閉する方法であって、
リザーバの壁から延在するポスト上に取り付けられた閉鎖部材を回転させる工程を含み、
前記閉鎖部材が、前記ポスト及び前記壁を通って延在する軸の周りに前記ポスト上で回転し、
前記閉鎖部材が、非ガス抜き位置とガス抜き位置との間で回転し、
前記非ガス抜き位置では前記閉鎖部材上の密封面が前記開口部を閉じ、前記ガス抜き位置では前記密封面が前記開口部を閉じず、
前記閉鎖部材の前記ガス抜き位置から前記非ガス抜き位置への回転によって前記ポスト上の閉鎖部材保持器と前記リザーバの前記壁上のカム面との間で前記閉鎖部材に圧縮力が発生し、それにより、前記密封面が前記開口部の真上に位置付けられる際に前記閉鎖部材の前記密封面が前記リザーバの前記壁に対して押し込まれる、方法。
［項目２２］
前記閉鎖部材が、前記ポストの外面上に位置する肩部を備え、
前記閉鎖部材が前記非ガス抜き位置にある際に、前記閉鎖部材が前記肩部と前記カム面との間で圧縮される、項目２１に記載の方法。
［項目２３］
前記閉鎖部材が、前記ポストに対向する内側面と、前記リザーバの前記壁の逆方向を向いた上面と、を備え、
前記閉鎖部材が、前記内側面と前記上面との間に段階的な移行部を備え、
前記内側面の上縁は、前記閉鎖部材の前記上面の内縁と一致せず、
前記閉鎖部材が前記非ガス抜き位置にある際に、前記閉鎖部材保持器の前記肩部が前記閉鎖部材の前記内側面の前記上縁に接触する、項目２２に記載の方法。
【手続補正２】
【補正対象書類名】特許請求の範囲
【補正対象項目名】全文
【補正方法】変更
【補正の内容】
【特許請求の範囲】
【請求項１】
内部容積を画定するリザーバの壁に形成され、かつ前記リザーバの前記内部容積と流体連通する開口部と、
前記開口部に近接する前記リザーバの前記壁上に保持され、ガス抜き位置と非ガス抜き位置との間で移動するよう構成され、前記非ガス抜き位置にある際には前記開口部を閉じ、前記ガス抜き位置にある際には前記開口部を閉じない密封面を備える閉鎖部材と、
前記閉鎖部材が前記ガス抜き位置にあるときに前記閉鎖部材を前記リザーバの前記壁上に保持するよう構成される閉鎖部材保持器と、
前記閉鎖部材が前記非ガス抜き位置に移動される際に前記閉鎖部材に対して圧縮力を発生するよう構成されたカム面と、を備えるベントアセンブリであって、
前記密封面が前記開口部の真上に位置付けられる際に、前記圧縮力が前記閉鎖部材の前記密封面を前記リザーバの前記壁に対して押し込む、ベントアセンブリ。
【請求項２】
前記閉鎖部材が、前記ガス抜き位置と前記非ガス抜き位置との間で直線移動するように構成されている、請求項１に記載のベントアセンブリ。
【請求項３】
前記閉鎖部材が、前記ガス抜き位置と前記非ガス抜き位置との間で移動する際に、前記リザーバの前記壁を通って延在する軸の周りに回転するように構成されている、請求項１に記載のベントアセンブリ。
【請求項４】
ベントアセンブリを開閉する方法であって、
閉鎖部材を非ガス抜き位置とガス抜き位置との間で移動させる工程を含み、
前記閉鎖部材が前記非ガス抜き位置にある際には前記閉鎖部材上の密封面が前記開口部を閉じ、前記閉鎖部材が前記ガス抜き位置にある際には前記密封面が前記開口部を閉じず、
前記閉鎖部材の前記ガス抜き位置から前記非ガス抜き位置への移動によって前記閉鎖部材に圧縮力が発生し、それにより、前記密封面が前記開口部の真上に位置付けられる際に前記封鎖部材の前記密封面が前記リザーバの前記壁に対して押し込まれる、方法。
【請求項５】
ベントアセンブリを開閉する方法であって、
リザーバの壁から延在するポスト上に取り付けられた閉鎖部材を回転させる工程を含み、
前記閉鎖部材が、前記ポスト及び前記壁を通って延在する軸の周りに前記ポスト上で回転し、
前記閉鎖部材が、非ガス抜き位置とガス抜き位置との間で回転し、
前記非ガス抜き位置では前記閉鎖部材上の密封面が前記開口部を閉じ、前記ガス抜き位置では前記密封面が前記開口部を閉じず、
前記閉鎖部材の前記ガス抜き位置から前記非ガス抜き位置への回転によって前記ポスト上の閉鎖部材保持器と前記リザーバの前記壁上のカム面との間で前記閉鎖部材に圧縮力が発生し、それにより、前記密封面が前記開口部の真上に位置付けられる際に前記閉鎖部材の前記密封面が前記リザーバの前記壁に対して押し込まれる、方法。